(57)【特許請求の範囲】
【請求項１】
電力系統の少なくとも一部における電力の需給状態に関する需給状態情報を保有する電力需給管理装置と、
前記需給状態情報を取得することが可能であるとともに、前記電力系統からの電力の受け取りまたは前記電力系統への電力の供給の少なくともいずれかからなる電力の需給調整を行うことが可能な電力需給調整装置とを備え、
前記電力需給調整装置は、取得した前記需給状態情報に基づいて、前記電力の需給調整に関する判断を行うことが可能に構成され、
前記電力需給調整装置は、電力の需要家または蓄電ステーションに設置されており、前記電力の需要家または前記蓄電ステーション側から前記電力需給管理装置の需給状態情報にアクセスして、前記需給状態情報を取得するように構成されている系統安定化システム。
【請求項２】
前記電力需給管理装置は、前記需給状態情報を公開し、
前記電力需給調整装置は、前記電力需給管理装置により公開された前記需給状態情報を取得するように構成されている、請求項１に記載の系統安定化システム。
【請求項３】
電力系統の少なくとも一部における電力の需給状態に関する需給状態情報を保有する電力需給管理装置と、
前記需給状態情報を取得することが可能であるとともに、前記電力系統からの電力の受け取りまたは前記電力系統への電力の供給の少なくともいずれかからなる電力の需給調整を行うことが可能な電力需給調整装置とを備え、
前記電力需給調整装置は、取得した前記需給状態情報に基づいて、前記電力の需給調整に関する判断を行うことが可能に構成され、
前記電力需給調整装置は、前記電力需給管理装置の需給状態情報にアクセスして前記需給状態情報を取得するための情報取得部と、
前記電力系統からの電力の受け取りまたは前記電力系統への電力の供給の少なくともいずれかが可能な電力需給調整部と、
前記情報取得部に前記需給状態情報を取得させるとともに、前記需給状態情報に基づいて、前記電力の需給調整に関する判断を行い、判断結果に基づいて前記電力需給調整部によ
る需給調整を行う制御部とを含む、系統安定化システム。
【請求項４】
電力系統の少なくとも一部における電力の需給状態に関する需給状態情報を保有する電力需給管理装置と、
前記需給状態情報を取得することが可能であるとともに、前記電力系統からの電力の受け取りまたは前記電力系統への電力の供給の少なくともいずれかからなる電力の需給調整を行うことが可能な電力需給調整装置とを備え、
前記電力需給調整装置は、取得した前記需給状態情報に基づいて、前記電力の需給調整に関する判断を行うことが可能に構成され、
前記電力需給管理装置は、前記需給状態情報を公開し、
前記電力需給調整装置は、前記電力需給管理装置により公開された前記需給状態情報を取得するように構成され
前記電力需給管理装置は、電力の需給の過不足が発生した場合に電力の需給調整を募集し、電力の需給の過不足が解消すると需給調整の前記募集を終了するように構成され、
前記電力需給調整装置は、電力の需給調整を行う場合に、前記需給調整の募集に対する応募を行うように構成されている、系統安定化システム。
【請求項５】
前記電力需給管理装置は、前記電力系統の少なくとも一部における現時点の直前の所定期間の電力供給量および電力需要量に基づいて、電力の需給の過不足が発生したか否かを判断するように構成されている、請求項４に記載の系統安定化システム。
【請求項６】
電力系統からの電力の受け取りまたは前記電力系統への電力の供給の少なくともいずれかからなる電力の需給調整を行うことが可能な電力需給調整部と、
前記電力系統の少なくとも一部における電力の需給状態に関する需給状態情報にアクセスし、前記需給状態情報を取得するための情報取得部と、
前記情報取得部により前記需給状態情報を取得するとともに、前記需給状態情報に基づいて、前記電力の需給調整に関する判断を行うことが可能な制御部とを備えた、電力需給調整装置。
【請求項７】
前記需給状態情報は、前記電力系統の少なくとも一部における供給電力量および需要電力量のデータを含む、請求項６に記載の電力需給調整装置。
【請求項８】
前記電力需給調整部は、蓄電装置を含み、
前記制御部は、取得した前記需給状態情報に基づいて、前記電力系統における電力の需要が供給よりも少ない場合には、前記電力系統における余剰電力の少なくとも一部を前記蓄電装置に充電するとともに、前記電力系統における電力の需要が供給よりも多い場合には、前記電力系統における不足電力の少なくとも一部を前記蓄電装置から前記電力系統に放電するように構成されている、請求項６又は７に記載の電力需給調整装置。
【請求項９】
前記制御部は、取得した前記需給状態情報と、前記蓄電装置の充電可能容量および放電可能容量の少なくともいずれかに基づいて、前記電力の需給調整を行うか否かを判断するように構成されている、請求項８に記載の電力需給調整装置。
【請求項１０】
電力系統からの電力の受け取りまたは前記電力系統への電力の供給の少なくともいずれかからなる電力の需給調整を行うことが可能な電力需給調整部と、
前記電力系統の少なくとも一部における電力の需給状態に関する需給状態情報を取得するための情報取得部と、
前記情報取得部により前記需給状態情報を取得するとともに、前記需給状態情報に基づいて、前記電力の需給調整に関する判断を行うことが可能な制御部とを備え、
前記情報取得部は、電力の需給調整を行う際に、需給調整する電力に関する情報を出力す
るように構成されている、電力需給調整装置。
【請求項１１】
前記需給調整する電力に関する情報は、需給調整する電力量のデータと、需給調整を行うための時間のデータとを含む、請求項１０に記載の電力需給調整装置。
【請求項１２】
電力系統からの電力の受け取りまたは前記電力系統への電力の供給の少なくともいずれかからなる電力の需給調整を行うことが可能な電力需給調整装置のための制御装置であって、
前記電力系統の少なくとも一部における電力の需給状態に関する需給状態情報にアクセスし、前記需給状態情報を取得することが可能な制御部を備え、
前記制御部は、取得した前記需給状態情報に基づいて、前記電力の需給調整に関する判断を行うことが可能に構成されている、電力需給調整装置のための制御装置。
【請求項１３】
前記制御部は、前記需給状態情報に基づいて電力の需給調整に関する判断を行い、判断結果に基づいて前記電力の需給調整を行うよう制御可能に構成されている、請求項１２に記載の電力需給調整装置のための制御装置。
【請求項１４】
電力系統からの電力の受け取りまたは前記電力系統への電力の供給の少なくともいずれかからなる電力の需給調整を行うことが可能な電力需給調整装置のための制御装置であって、
前記電力系統の少なくとも一部における電力の需給状態に関する需給状態情報を取得することが可能な制御部を備え、
前記制御部は、取得した前記需給状態情報に基づいて、前記電力の需給調整に関する判断を行うことが可能に構成されており、
前記制御部は、前記需給状態情報に基づいて電力の需給調整に関する判断を行い、判断結果に基づいて前記電力の需給調整を行うよう制御可能に構成され、
前記制御部は、前記電力の需給調整を行う際に、前記電力需給調整装置による需給調整
する電力に関する情報を出力するように制御する、電力需給調整装置のための制御装置。
【請求項１５】
電力系統の需給調整を行うための方法であって、
単位時間当たりの電力供給量をウェブサイトに公開するステップと、
単位時間当たりの電力需要量を前記ウェブサイトに公開するステップと、
電力の需給状態に応じて、電力の充電または放電を行う電力需給調整装置から充電または放電の募集を行うステップと、
応募してきた前記電力需給調整装置の通知データに基づき、前記電力供給量と前記電力需要量とを更新して前記ウェブサイトに公開するステップと、
前記電力需給調整装置による電力の充電または放電が行われた後、前記電力の需給状態を確認するステップとを備えたことを特徴とする、電力需給調整方法。
【請求項１６】
蓄電池を用いて電力系統の需給調整を行うための方法であって、
前記蓄電池の容量を所定値に調整するステップと、
前記蓄電池の放電可能容量および充電可能容量を調査するステップと、
前記電力系統の需給状態情報を保有し、電力の充電または放電の募集を行うサーバにアクセスして前記電力の充電または放電の募集状況を調査するステップと、
前記放電可能容量または前記充電可能容量と、前記募集された充電量または放電量とを比較して要求を満たすことが可能かを判断するステップと、
前記判断するステップで可能であると判断した場合、需給調整する電力に関する情報を前記サーバに通知するステップと、
前記需給調整する電力に関する情報に従って充電または放電を行うステップとを備えたことを特徴とする、蓄電池を用いた電力需給調整方法。
【発明の詳細な説明】
【技術分野】
【０００１】
本発明は、系統安定化システム、電力需給調整装置、電力需給調整装置のための制御装置、電力需給調整方法および蓄電池を用いた電力需給調整方法に関する。
【背景技術】
【０００２】
従来、電力系統に連系され、電力の需給調整を行うことが可能な電力需給調整装置を備えた系統安定化システムが知られている。このような系統安定化システムは、たとえば、特開２００３−２８４２４４号公報に開示されている。【０００３】
上記特開２００３−２８４２４４号公報の系統安定化システムでは、需要家に、二次電池（電力需給調整装置）と、二次電池に充放電の指令を行う二次電池制御システムとが設置されている。また、中央給電指令所には系統制御システム（電力需給管理装置）が設置されている。この系統安定化システムでは、電力系統において電力の供給が需要を大幅に下回った場合に、中央給電指令所の系統制御システムから各需要家の二次電池制御システムに、放電の指令を行うことが可能に構成されている。これにより、需要家が有する二次電池を用いて電力系統の需給調整を行うことが可能である。
【先行技術文献】
【特許文献】
【０００４】
【特許文献１】特開２００３−２８４２４４号公報
【発明の概要】
【発明が解決しようとする課題】
【０００５】
しかしながら、上記特開２００３−２８４２４４号公報では、中央給電指令所の系統制御システムから各需要家の二次電池制御システムに放電の指令を行うので、以下のような問題点がある。各需要家の二次電池制御システムに個別に指令を行うためには、系統制御システムが各需要家の二次電池制御システムを特定する情報（固定ＩＰアドレスなど）を把握および管理する必要がある。この固定ＩＰアドレスなどの情報の把握および管理は、二次電池および二次電池制御システムを設置する需要家の数が少ない場合にはそれ程問題にならないが、二次電池および二次電池制御システムを設置する需要家の数が多い場合には、系統制御システム（電力需給管理装置）の制御負担が増大してしまうという問題点がある。また、各二次電池が充放電可能な状態であるか否かなど、各二次電池の状態を絶えず系統制御システム（電力需給管理装置）が監視する必要があるので、その点でも、系統制御システム（電力需給管理装置）の制御負担が増大してしまうという問題点がある。また、全ての需要家の二次電池および二次電池制御システム（電力需給調整装置）に対して固定ＩＰアドレスを割り振るなどの機器認証の仕組みを設ける必要があるという問題点もある。【０００６】
この発明は、上記のような課題を解決するためになされたものであり、この発明の１つの目的は、電力需給調整装置の機器認証の仕組みを設けることなく、かつ、電力需給管理装置の制御負担を軽減しながら、電力系統の需給調整を行うことが可能な系統安定化システム、電力需給調整装置、電力需給調整装置のための制御装置、電力需給調整方法および蓄電池を用いた電力需給調整方法を提供することである。
【課題を解決するための手段】
【０００７】
上記目的を達成するために、本発明の系統安定化システムは、電力系統の少なくとも一部における電力の需給状態に関する需給状態情報を保有する電力需給管理装置と、需給状態情報を取得することが可能であるとともに、電力系統からの電力の受け取りまたは電力系統への電力の供給の少なくともいずれかからなる電力の需給調整を行うことが可能な電力需給調整装置とを備え、電力需給調整装置は、取得した需給状態情報に基づいて、電力の需給調整に関する判断を行うことが可能に構成され、電力需給調整装置は、電力の需要家または蓄電ステーションに設置されており、電力の需要家または蓄電ステーション側から電力需給管理装置の需給状態情報にアクセスして、需給状態情報を取得するように構成されている。
【０００８】
本発明の電力需給調整装置は、電力系統からの電力の受け取りまたは電力系統への電力の供給の少なくともいずれかからなる電力の需給調整を行うことが可能な電力需給調整部と、電力系統の少なくとも一部における電力の需給状態にアクセスし、前記需給状態情報に関する需給状態情報を取得するための情報取得部と、情報取得部により需給状態情報を取得するとともに、需給状態情報に基づいて、電力の需給調整に関する判断を行うことが可能な制御部とを備えている。
【０００９】
本発明の電力需給調整装置のための制御装置は、電力系統からの電力の受け取りまたは電力系統への電力の供給の少なくともいずれかからなる電力の需給調整を行うことが可能な電力需給調整装置のための制御装置であって、電力系統の少なくとも一部における電力の需給状態にアクセスし、前記需給状態情報に関する需給状態情報を取得することが可能な制御部を備え、制御部は、取得した需給状態情報に基づいて、電力の需給調整に関する判断を行うことが可能に構成されている。
【００１０】
本発明の電力需給調整方法は、単位時間当たりの電力供給量をウェブサイトに公開するステップと、単位時間当たりの電力需要量をウェブサイトに公開するステップと、電力の需給状態に応じて、電力の充電または放電を行う電力需給調整装置から充電または放電の募集を行うステップと、応募してきた電力需給調整装置の通知データに基づき、電力供給量と電力需要量とを更新してウェブサイトに公開するステップと、電力需給調整装置による電力の充電または放電が行われた後、電力の需給状態を確認するステップとを備えたことを特徴とする。【００１１】
本発明の蓄電池を用いた電力需給調整方法は、蓄電池の容量を所定値に調整するステップと、蓄電池の放電可能容量および充電可能容量を調査するステップと、電力系統の需給状態情報を保有し、電力の充電または放電の募集を行うサーバにアクセスして電力の充電または放電の募集状況を調査するステップと、放電可能容量または充電可能容量と、募集された充電量または放電量とを比較して要求を満たすことが可能かを判断するステップと、判断するステップで可能であると判断した場合、需給調整する電力に関する情報をサーバに通知するステップと、需給調整する電力に関する情報に従って充電または放電を行うステップとを備えたことを特徴とする。
【発明の効果】
【００１２】
本発明によれば、電力需給管理装置からの充放電の指令を受けなくても、電力需給調整装置側から電力需給管理装置の需給状態情報を取得するとともに、電力系統における需給状態を電力需給調整装置自身が判断して電力の需給調整を行うことができる。これにより、電力需給管理装置から各々の電力需給調整装置に個別に充放電の指令を行う必要がないので、電力需給管理装置が各々の電力需給調整装置を特定する情報（固定ＩＰアドレスなど）を把握および管理する必要がなくなるとともに、電力需給調整装置の機器認証の仕組みを設ける必要もなくなる。また、各電力需給調整装置が自身で需給調整に関する判断を行うので、各電力需給調整装置が自身が充放電可能な状態か否かなどを把握していればよく、電力需給管理装置が各々の電力需給調整装置の状態を監視する必要がない。これにより、電力需給調整装置の機器認証の仕組みを設けることなく、かつ、電力需給管理装置の制御負担を軽減しながら、電力系統の需給調整を行うことができる。
【図面の簡単な説明】
【００１３】
【図１】本発明の第１実施形態による系統安定化システムを示す概念図である。
【図２】本発明の第１実施形態による系統安定化システムにおける電力需給管理装置の動作フローを説明するためのフローチャートである。
【図３】本発明の第１実施形態による系統安定化システムにおける電力需給調整装置の動作フローを説明するためのフローチャートである。
【図４】本発明の第２実施形態による系統安定化システムを示す概念図である。
【発明を実施するための形態】
【００１４】
以下、本発明の実施形態を図面に基づいて説明する。
【００１５】
（第１実施形態）
まず、図１を参照して、一般的な電力系統における電力の流れについて説明する。発電所などにおいて発電された電力は、高圧送電線を介して複数の配電用変電所１００に分配され、各配電用変電所１００から電力会社の配電線を介して家屋、工場、その他の施設などの各需要家２００に分配される。配電用変電所１００には、高圧で供給される電力を各需要家に供給するために低圧に変換する変圧器などの配電用機器１０１が設けられている。配電用変電所１００では、発電所側から分配される電力（計画送電電力）と、需要家２００側において消費される電力との需給バランスを監視している。
【００１６】
次に、図１を参照して、本発明の第１実施形態による系統安定化システムの構成を説明する。なお、第１実施形態では、太陽電池用インバータ２１０を介して電力系統と連系された太陽電池２２０および蓄電池２１が各需要家２００に設置されている例について説明する。
【００１７】
第１実施形態による系統安定化システムは、電力系統における電力の需給バランスをとるためのシステムである。系統安定化システムは、配電用変電所１００に設けられ、配電用変電所１００における電力の需給状態を管理する電力需給管理サーバ１と、各需要家２００に設置された複数の電力需給調整装置２とを備えている。なお、電力需給管理サーバ１は、本発明の「電力需給管理装置」の一例である。また、電力需給調整装置２は、需要家２００に設置された蓄電池２１を含んでいる。電力需給調整装置２は、電力系統の電力の需給状態にアンバランス（過不足）が生じた場合に、その需給状態のアンバランスに応じてアンバランスを解消するように蓄電池２１の充放電を行うことが可能である。以下、具体的に説明する。
【００１８】
電力需給管理サーバ１は、配電用機器１０１から取得した配電用変電所１００の電力の需給状態情報をインターネット上のホームページ（ウェブサイト）に公開する。電力需給管理サーバ１は、需給状態情報を所定の時間間隔毎（たとえば、３０秒毎）で取得するとともに、ホームページにおける公開情報を更新する。公開する需給状態情報としては、現在から１時間前までの所定の時間間隔（３０秒）毎の計画送電電力量のデータ（供給電力量）と、現在から１時間前までの所定の時間間隔（３０秒）毎の配電電力量のデータ（需要電力量）とが含まれる。
【００１９】
また、電力需給管理サーバ１は、供給電力量と需要電力量との需給のアンバランスが生じているか否かを判断するとともに、需給のアンバランスが生じている場合には、そのアンバランスを解消するための電力の受け入れまたは電力の供給を募集する。すなわち、電力需給管理サーバ１は、電力の需要が供給よりも小さく、電力に余剰が生じていると判断した場合には、その余剰電力の少なくとも一部を受け入れ可能な電力需給調整装置２（充電余力のある蓄電池２１を有する電力需給調整装置２）を募集する。また、電力の需要が供給よりも大きく、電力に不足が生じていると判断した場合には、電力需給管理サーバ１は、その不足電力の少なくとも一部を供給可能な電力需給調整装置２（放電余力のある蓄電池２１を有する電力需給調整装置２）を募集する。
【００２０】
また、電力需給管理サーバ１は、需給調整の募集に応募してきた電力需給調整装置２があった場合に、その電力需給調整装置２からの通知情報に基づいて、公開情報を補正する。電力需給調整装置２からの通知情報は、募集に応募した電力需給調整装置２が行う調整電力量（充電量または放電量）のデータと、その調整を行うための時間のデータとを含んでいる。
【００２１】
また、電力需給調整装置２は、蓄電池２１の充放電の制御を行う充放電制御装置２２と、電力需給管理サーバ１のホームページにアクセスするためのモデム２３と、モデム２３および充放電制御装置２２を制御するＣＰＵ２４とを主に含んでいる。また、充放電制御装置２２は、交流／直流変換装置を含んでいる。なお、モデム２３、蓄電池２１、ＣＰＵ２４は、それぞれ、本発明の「情報取得部」、「電力需給調整部」および「制御部」の一例である。また、蓄電池２１は、本発明の「蓄電装置」の一例である。
【００２２】
ＣＰＵ２４は、蓄電池２１の充電状態を監視しているとともに、電力需給管理サーバ１のホームページに定期的にアクセスして公開情報（需給状態情報）および需給調整の募集の有無を取得するように構成されている。また、ＣＰＵ２４は、需給調整の募集があった場合には、その募集内容（充電募集または放電募集）と、蓄電池２１の充電状態などとに基づいて、募集に応募できるか否かを判断する。また、応募できると判断した場合には、ＣＰＵ２４は、調整電力量および調整時間（以下、調整内容と呼ぶ）を決定するとともに、決定した調整内容をホームページを介して電力需給管理サーバ１に通知する。そして、ＣＰＵ２４は、その調整内容で蓄電池２１の充電または放電を実行する。
【００２３】
次に、図２を参照して、本発明の第１実施形態による系統安定化システムの電力需給管理サーバ１の制御フローを説明する。
【００２４】
まず、ステップＳ１において、電力需給管理サーバ１は、現在から１時間前までの計画送電電力量（電力の供給量）を電力需給管理サーバ１のホームページ（ウェブサイト）に更新して表示する。次に、ステップＳ２において、電力需給管理サーバ１は、現在から１時間前までの配電電力量（電力の需要量）をホームページに更新して表示する。
【００２５】
そして、ステップＳ３において、電力需給管理サーバ１は、現在から１時間前までの間の需給にアンバランス（過不足）があるか否かを判断する。アンバランスがない場合には、ステップＳ１に戻り、電力需給管理サーバ１は、ステップＳ１〜ステップＳ３を繰り返す。アンバランスがある場合には、ステップＳ４において、電力需給管理サーバ１は、需給のアンバランスを補完する充放電をホームページで募集する。ここで、電力需給調整装置２は、後述するように、募集に合う充放電を行うことが可能なときには、応募する。
【００２６】
また、ステップＳ５において、電力需給管理サーバ１は、応募してきた電力需給調整装置２から通知される調整内容の通知データ（応募してきた電力需給調整装置２の調整電力量データおよび調整時間データ）に基づいて、ホームページに公開している電力供給量または電力需要量のデータを更新する。次に、ステップＳ６において、電力需給管理サーバ１は、電力の需給のアンバランスが解消したか否かを判断する。アンバランスが解消した場合には、電力需給管理サーバ１は、ホームページ上での応募を終了し、ステップＳ１に戻る。アンバランスが解消しない場合には、ステップＳ４に戻り、電力需給管理サーバ１は、アンバランスが解消するまでホームページ上で応募を継続する。
【００２７】
次に、図３を参照して、本発明の第１実施形態による系統安定化システムの電力需給調整装置２の制御フローを説明する。
【００２８】
まず、ステップＳ１１において、電力需給調整装置２は、蓄電池２１の容量を調整する。具体的には、電力需給調整装置２は、充電および放電の両方が可能なように、容量が満充電の１／２になるように調整しておく。この容量の調整は、たとえば、深夜電力の時間帯などの太陽電池２２０の発電電力の急変動が少ない時間帯に行うようにする。次に、ステップＳ１２において、電力需給調整装置２は、現在の自身の蓄電池２１の放電可能容量および充電可能容量をサーチ（調査）する。
【００２９】
そして、ステップＳ１３において、電力需給調整装置２は、電力需給管理サーバ１のホームページにアクセスするとともに、需給のアンバランスを補完する充放電の募集状況をサーチ（調査）する。また、ステップＳ１４において、電力需給調整装置２は、需給のアンバランスを補完する充放電に応募できるか否かを判断する。すなわち、電力需給調整装置２は、自身の放電可能容量および充電可能容量と、募集された充電または放電とに基づいて、募集された充電または放電を自身が行うことが可能か否かを判断する。
【００３０】
応募できないと判断した場合には、ステップＳ１２に戻り、電力需給調整装置２は、自身の充電可能容量および放電可能容量のサーチと配電用変電所１００の充放電の募集状況のサーチとを繰り返す。
【００３１】
応募できると判断した場合には、ステップＳ１５において、電力需給調整装置２は、自身が行う充電の充電量または放電の放電量と、その充電または放電の時間とを電力需給管理サーバ１にホームページを介して通知する。そして、通知した後、電力需給調整装置２は、ステップＳ１６において、通知した充電量の充電または放電量の放電を通知した時間で行う。この後、ステップＳ１１に戻り、電力需給調整装置２は、ステップＳ１１〜ステップＳ１６を繰り返す。
【００３２】
第１実施形態では、上記ステップＳ１１〜ステップＳ１６の処理を、配電用変電所１００が管轄する需要家２００の電力需給調整装置２の全てが行う。これにより、各電力需給調整装置２のそれぞれが需給のアンバランスを調整するように動作するので、需給のアンバランスが解消されるまで、各電力需給調整装置２によって需給の調整が行われる。
【００３３】
第１実施形態の系統安定化システムは、上記構成により以下の効果を得ることができる。
【００３４】
すなわち、電力需給調整装置２が、電力需給管理サーバ１の需給状態情報を取得することが可能で、かつ、電力需給管理サーバ１の需給状態情報に基づいて電力の需給調整に関する判断を行うことが可能なように構成されている。このように構成することによって、電力需給調整装置２は、電力需給管理サーバ１からの充放電の指令を受けなくても、電力需給調整装置２側から電力需給管理サーバ１の需給状態情報を取得するとともに、電力系統における需給状態を電力需給調整装置２自身が判断して電力の需給調整を行うことができる。これにより、電力需給管理サーバ１から電力需給調整装置２に個別に充放電の指令を行う必要がないので、電力需給管理サーバ１が各電力需給調整装置２を特定する情報（固定ＩＰアドレスなど）を把握および管理する必要がなくなるとともに、電力需給調整装置２の機器認証の仕組みを設ける必要もなくなる。また、各電力需給調整装置２が自身で需給調整に関する判断を行うので、各電力需給調整装置２が自身が充放電可能な状態か否かなどを把握していればよく、電力需給管理サーバ１が各電力需給調整装置２の状態を監視する必要がない。これにより、電力需給調整装置２の機器認証の仕組みを設けることなく、かつ、電力需給管理サーバ１の制御負担を軽減しながら、電力系統の需給調整を行うことができる。
【００３５】
また、電力の需要家２００に設置された蓄電池２１が電力需給調整装置２として用いられる。このように構成すれば、電力会社などが蓄電ステーションなどの設備を新たに設けなくても、需要家２００の設備を有効に利用して需給調整を行うことができる。
【００３６】
また、蓄電池２１を電力需給調整装置２として用いることによって、電力系統に余剰電力が生じている場合には、蓄電池２１に充電させることにより需給のアンバランスを解消することができる。一方、電力系統に不足電力が生じている場合には、蓄電池２１から放電させることにより需給のアンバランスを解消することができる。これにより、需給のアンバランスを容易に解消することができる。
【００３７】
また、電力需給調整装置２が、電力の需給調整を行う場合に需給調整する電力に関する情報を電力需給管理サーバ１に通知するように構成されている。このように構成すれば、電力需給管理サーバ１は需給調整の状況を容易に把握することができる。
【００３８】
また、電力需給管理サーバ１が、電力需給調整装置２から通知された情報に基づいて需給状態情報を補正するように構成されている。このように構成すれば、電力需給調整装置２によって需給調整が行われる毎に、募集する需給調整電力を減らすことができる。これにより、必要十分な電力を確実に電力需給調整装置２により調整することができる。
【００３９】
また、電力需給調整装置２が、電力需給管理サーバ１のホームページに定期的にアクセスして需給状態情報を取得するように構成されている。このように構成すれば、実際の需給状態と異なる需給状態情報に基づいて需給調整を行ってしまうのを抑制することができる。
【００４０】
また、電力需給管理サーバ１が、ウェブサイト上に需給状態情報を公開するように構成され、電力需給調整装置２が、ウェブサイトにアクセスして需給状態情報を取得するように構成されている。このように構成すれば、電力需給調整装置２は、インターネットを介して容易に需給状態情報を取得することができる。また、電力需給管理サーバ１は、需給状態情報を自己のホームページ（ウェブサイト）に公開するだけでよいので、電力需給管理サーバ１の制御負担を軽減することができる。
【００４１】
（第２実施形態）
次に、図４を参照して、本発明の第２実施形態による系統安定化システムについて説明する。この第２実施形態では、上記第１実施形態と異なり、蓄電池２１以外の機器を電力需給調整装置として用いる例について説明する。
【００４２】
第２実施形態では、太陽光発電設備（太陽電池２２０および太陽電池用インバータ２１０）を備えない需要家２００の蓄電池２１、および、蓄電池２１以外の機器が電力需給調整装置として用いられている。蓄電池２１以外の機器としては、蓄電ステーション３００、揚水発電機４００および電気温水器５００が電力需給調整装置として用いられる。蓄電ステーション３００、揚水発電機４００および電気温水器５００は、それぞれ、電力需給調整装置２と同様に、電力需給管理サーバ１のホームページ（ウェブサイト）にアクセスして需給状態情報を取得するためのモデム３００ａ、４００ａおよび５００ａと、取得した需給状態情報に基づいて需給調整に関する判断を行うＣＰＵ３００ｂ、４００ｂおよび５００ｂとを含んでいる。
【００４３】
蓄電ステーション３００の需給調整に関する動作は、電力需給調整装置２と同様である。また、揚水発電機４００は、電力系統において余剰電力が生じている場合には、その余剰電力を受け取るとともにその電力を用いてたとえば下部貯水池（下池）から上部貯水池（上池）へ水を汲み上げておき、電力系統において不足電力が生じている場合には、汲み上げた水を落とすことにより発電して、電力系統に電力を供給することが可能である。また、電気温水器５００は、発電して電力を供給することはできないが、電力系統において余剰電力が生じている場合に、その余剰電力を受け取るとともにその電力を用いて温水を作ることが可能である。
【００４４】
電力需給調整装置２と同様に、各機器のＣＰＵ３００ｂ、４００ｂおよび５００ｂは、それぞれ電力需給管理サーバ１のホームページ（ウェブサイト）に定期的にアクセスするとともに、自身が電力の受け取りまたは供給が可能であるか否かを判断する。また、電力需給管理サーバ１から需給調整の募集があった場合には、各機器のＣＰＵ３００ｂ、４００ｂおよび５００ｂは、それぞれ、募集された需給調整を自身が行うことが可能な場合には応募して、調整内容を電力需給管理サーバ１に通知するとともに、その調整内容で需給調整を実行する。
【００４５】
第２実施形態の上記した構成以外の構成は、上記第１実施形態と同様である。
【００４６】
第２実施形態の効果は、上記第１実施形態と同様である。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記第１および第２実施形態では、蓄電装置の一例として、蓄電池２１を用いる例を示したが、本発明はこれに限らず、蓄電池の代わりにキャパシタを用いてもよい。
【００４９】
また、上記第１および第２実施形態では、電力系統の一部である配電用変電所１００の需給状態をホームページに公開し、その需給状態のアンバランスを解消する例について説明したが、本発明はこれに限られない。本発明では、たとえば電力会社の中央給電指令所によって電力系統の全体の需給状態（計画発電電力量など）を公開し、その電力系統全体の需給状態のアンバランスを解消するようにしてもよい。
【００５０】
また、上記第１および第２実施形態では、電力系統からの電力の受け取りおよび電力系統への電力の供給の両方を行うことが可能な電力需給調整装置の一例として、蓄電池、蓄電ステーションおよび揚水発電機を示し、電力系統からの電力の受け取りのみが可能な電力需給調整装置の一例として電気温水器を示したが、本発明はこれに限られない。たとえば、電力系統からの電力の受け取りのみが可能な電力需給調整装置として、電気温水器以外の負荷を用いてもよい。また、電力系統への電力の供給のみを行うことが可能な電力需給調整装置の一例として、何らかの発電機によって電力系統に電力を供給するようにしてもよい。
【００５１】
また、上記第１および第２実施形態では、電力需給調整装置が電力需給管理サーバ１のホームページ（ウェブサイト）にアクセスしてホームページに公開された需給状態情報を取得する例について説明したが、本発明はこれに限らず、電力需給管理サーバ１が需給状態情報をインターネットや放送電波を用いて電力需給調整装置に配信（公開）するようにしてもよい。
【００５２】
また、上記第１および第２実施形態では、電力需給管理サーバ１が電力のアンバランスが生じているか否かを判断し、アンバランスが生じている場合に需給調整の募集を行う例について説明したが、本発明はこれに限られない。本発明では、電力需給管理サーバ１は需給状態情報を公開するだけで需給調整の募集は行わず、アンバランスが生じているか否かを電力需給調整装置側で判断してもよい。
【００５３】
また、上記第１および第２実施形態では、電力需給管理サーバ１が配電用変電所１００にある例について説明したが、本発明はこれに限らず、配電用変電所１００の外部にあってもよい。
【図１】
0005578232.tif 000002
【図２】
0005578232.tif 000003
【図３】
0005578232.tif 000004
【図４】
0005578232.tif 000005